【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
試料から切片を切断するよう作動可能な切断機構；
前記試料を保持するよう作動可能な試料保持容器；
前記試料保持容器に結合し、前記試料保持容器に保持された前記試料と前記切断機構間の移動を駆動するよう作動可能である駆動システム；および
前記試料保持容器に保持された試料の表面の配向を感知するよう作動可能である表面配向センサを含む試料裁断装置。
【請求項２】
前記表面配向センサが二次元的に回転可能である請求項１に記載の試料裁断装置。
【請求項３】
前記表面配向センサが第１軸を中心に回転可能な第１部材、および第２軸を中心に回転可能な第２部材から成り、前記第１軸が第２軸に対して実質的に垂直である請求項２に記載の試料裁断装置。
【請求項４】
前記第１部材がプレートから成り、前記第２部材が前記プレートと結合したフレームを含む請求項３に記載の試料裁断装置。
【請求項５】
前記第１軸を中心にした前記第１部材の回転を感知するように構築された第１感知機構；および
前記第２軸を中心にした前記第２部材の回転を感知するように構築された第２感知機構をさらに含む請求項３に記載の試料裁断装置。
【請求項６】
前記第１部材および前記第２部材が前記表面配向センサと可動に結合し、前記試料が前記第１および第２部材のうち１つ以上に対して力を加えたときに前記試料から遠ざかる方向で移動可能となる請求項３に記載の試料裁断装置。
【請求項７】
前記第１および第２部材が前記試料から遠ざかる方向に向かう移動量を感知するように構築された感知機構をさらに含む請求項６に記載の試料裁断装置。
【請求項８】
前記試料保持容器と結合し、前記試料表面の前記配向を調整することが可能である電動チャック；および
感知した前記配向に基づいて、前記試料裁断装置に前記試料表面の前記配向を自律的に調整させる論理回路：をさらに含む請求項１に記載の試料裁断装置。
【請求項９】
前記論理回路が、前記切断機構と連動している切断平刃に対する前記試料表面の前記配向を前記試料裁断装置に複数回自律的に調整させる論理回路を含み、一方、前記試料表面の前記配向を前期切断平刃と平行にするために、前記試料表面の調整済み配向を前記表面配向センサにより感知させる請求項８に記載の試料裁断装置。
【請求項１０】
前記電動チャックの位置を係止し、固定配向の前記試料保持容器により保持された前記試料表面の配向を保持するよう作動可能な前記電動チャックのモータをさらに含む請求項８に記載の試料裁断装置。
【請求項１１】
前記表面配向センサを１箇所で前記試料裁断装置と固定で結合させ、前記位置を前記切断機構と実質的に垂直に配列する請求項１に記載の試料裁断装置。
【請求項１２】
前記表面配向センサが前記試料裁断装置と可動に結合し、前記試料保持容器に保持された前記試料表面の前記配向を感知するように前記表面配向センサが配置されている第１位置と、前記試料保持容器に保持された前記試料および前記切断機構間の前記移動からさらに遠ざかる第２後退位置との間で前記表面配向センサが移動するよう作動可能な請求項１に記載の試料裁断装置。
【請求項１３】
ハンドホイール；
第１シャフトにより前記ハンドホイールと結合し、前記ハンドホイールの角度位置の電気的表示を形成するよう作動可能な第１エンコーダ；
前記駆動システムのモータ；
第２シャフトにより前記駆動システムのモータと結合し、前記駆動システムの前記モータの角度位置の電気的表示を形成するよう作動可能な第２エンコーダ；ならびに
前記第１および第２エンコーダと電気的に結合し、前記ハンドホイールおよび前記モータの前期角度位置の前記電気的表示を受信するよう作動可能であり、前記ハンドホイールの前期角度位置の前記電気的表示に少なくとも部分的に基づいて前記モータを制御するよう作動可能である制御回路をさらに含む請求項１に記載の試料裁断装置。
【請求項１４】
前記ハンドホイールの前記角度位置の前記電気的表示の比較まで前記モータが移動しないよう制御できるように前記制御回路が操作可能であり、前記ハンドホイールの位置が前記モータの位置と合致していることを前記モータが示す請求項１３に記載の試料裁断装置。
【請求項１５】
設定可能な裁断長を指定できる論理回路をさらに含み、前記指定の裁断長のときは比較的緩慢な移動速度で、前記指定の裁断長の移動の直前および直後のうち少なくともどちらか一方では比較的速い移動速度で前記試料を移動させる請求項１に記載の試料裁断装置。
【請求項１６】
前記論理回路が、前記試料を保持するために使用する多種のカセットに各々対応する複数の所定の裁断長から前記裁断長をオペレーターが選択できる論理回路を含む、請求項１５に記載の試料裁断装置。
【請求項１７】
前記論理回路が、複数の多種のカセットの中から１つを選択することによってオペレーターが裁断長を指定できる論理回路を含む、請求項１５に記載の試料裁断装置。
【請求項１８】
前記試料内に組織を覆い隠し、前記組織を保持するカセットの底部厚に伴う所与の試料厚を前記試料裁断装置が自律的に切り出せる論理回路をさらに含む請求項１に記載の試料裁断装置。
【請求項１９】
前記試料裁断装置に制御信号を送信するよう作動可能であり、前記試料裁断装置が前記試料の前記所与の厚さを自律的に切り出せる前記論理回路を使用者に発動させる使用者入力装置を有する制御装置をさらに含む請求項１８に記載の試料裁断装置。
【請求項２０】
無線制御信号を前記試料裁断装置に送信するよう作動可能な無線制御装置をさらに含む請求項１に記載の試料裁断装置。
【請求項２１】
試料表面の配向角度を感知するように作動可能である表面配向センサが、第１軸および該第１軸に対して実質的に垂直である第２軸を中心に回転可能に設けられていることを特徴とする試料裁断装置。
【請求項２２】
試料裁断装置に保持された試料を、表面配向センサに関連させて位置づける工程；
前記表面配向センサにより、前記試料裁断装置に保持された前記試料の表面の配向を感知する工程；
前記試料表面が、前記試料裁断装置の切断機構と関連させて切断平刃とやや平行になるように、前期試料裁断装置に保持された前記試料表面の前記配向を調整する工程；および
前記試料表面の前記配向を調整した後に前記試料裁断装置により前記試料の切片を作成する工程を含む方法。
【請求項２３】
前記表面配向センサにより前記試料表面の前記配向を感知する工程が、前記表面配向センサを二次元的に回転させる工程を含む請求項２２に記載の方法。
【請求項２４】
前記表面配向センサを二次元的に回転させる工程が、第１軸を中心に第１部材を回転させる工程および第２軸を中心に第２部材を回転させる工程を含み、前記第１軸が前記第２軸に対して実質的に垂直である請求項２３に記載の方法。
【請求項２５】
前記試料が前記表面配向センサの一部に力を加えて前記試料から遠ざかる方向に前記表面配向センサの一部を移動させる工程；および
前記表面配向センサの一部が前記試料から遠ざかる移動量を感知する工程をさらに含む請求項２３に記載の方法。
【請求項２６】
前記試料裁断装置が前記試料表面の前記配向を自律的に調整する工程を調整工程に含める請求項２２に記載の方法。
【請求項２７】
設定可能な裁断長を指定する工程をさらに含み、前記試料の前記切片を作成する工程が、前記指定された裁断長で前記試料から前記切片を切断するときは比較的緩慢な移動速度で前記試料を移動する工程、および前記指定された裁断長での前記移動の直前または直後の少なくとも一方で、比較的速い移動速度で前記試料を移動する工程を含む請求項２２に記載の方法。
【請求項２８】
複数の切片を自律的に作成する前記試料裁断装置が、組織を保持するカセットの底部を切り出し、組織を露出させることをさらに含む請求項２２に記載の方法。
【手続補正２】
【補正対象書類名】図面
【補正対象項目名】図１
【補正方法】変更
【補正の内容】
【図１】
2012202993.tif 000001
【手続補正３】
【補正対象書類名】図面
【補正対象項目名】図２
【補正方法】変更
【補正の内容】
【図２】
2012202993.tif 000002
【手続補正４】
【補正対象書類名】図面
【補正対象項目名】図４
【補正方法】変更
【補正の内容】
【図４】
2012202993.tif 000003